(57)【要約】【課題】簡易な構成によりミューティングリソースの位置情報をシグナリングすることができるシグナリング方法、基地局装置及び移動端末装置を提供すること。【解決手段】下りリンクチャネル推定のための参照信号であるＣＳＩ-ＲＳ（Channel  State  Information−Reference  Signal）を、ＣＳＩ-ＲＳ送信用に割り当てられているＣＳＩ-ＲＳ用リソースに配置するステップと、隣接エリアにおいて前記ＣＳＩ-ＲＳが配置されるリソースをブランクリソースに設定するステップと、前記ＣＳＩ-ＲＳ用リソースに配置された前記ＣＳＩ-ＲＳの配置位置を示すＣＳＩ-ＲＳロケーションインデックスの番号体系を用いて、前記ブランクリソースの位置情報を前記移動端末装置に送信するステップとを備えたことを特徴とするブランクリソースのシグナリング方法である。【選択図】図３
2012044323.tif 000002
【特許請求の範囲】
【請求項１】
下りリンクチャネル推定のための参照信号であるＣＳＩ-ＲＳ（Channel  State  Information−Reference  Signal）を、ＣＳＩ-ＲＳ送信用に割り当てられているＣＳＩ-ＲＳ用リソースに配置する配置部と、
隣接エリアにおいて前記ＣＳＩ-ＲＳが配置されるＣＳＩ-ＲＳ用リソースをブランクリソースに設定するブランクリソース設定部と、
前記ＣＳＩ-ＲＳ用リソースに配置される前記ＣＳＩ-ＲＳの配置位置を示すＣＳＩ-ＲＳロケーションインデックスの番号体系を用いて、前記ブランクリソースの位置情報を前記移動端末装置に送信する送信部とを備えたことを特徴とする基地局装置。
【請求項２】
前記送信部は、前記インデックス生成部で生成されるＣＳＩ-ＲＳロケーションインデックスに前記ブランクリソースの位置を対応させてビットマップ形式で設定したビットマップ情報をブランクリソースの位置情報として前記移動端末装置に送信することを特徴とする請求項１に記載の基地局装置。
【請求項３】
前記送信部は、前記インデックス生成部で生成されるＣＳＩ-ＲＳロケーションインデックスを用いてブランクリソースの開始位置と終了位置とを示した位置情報を前記移動端末装置に送信することを特徴とする請求項１に記載の基地局装置。
【請求項４】
前記送信部は、前記インデックス生成部で生成されるＣＳＩ-ＲＳロケーションインデックスの連続するインデックス数を前記ブランクリソースの位置情報として前記移動端末装置に送信することを特徴とする請求項１に記載の基地局装置。
【請求項５】
下りリンクチャネル推定のための参照信号であるＣＳＩ-ＲＳの配置位置を示す情報であり、ＣＳＩ-ＲＳ送信用に割り当てられているＣＳＩ-ＲＳ用リソースに配置された前記ＣＳＩ-ＲＳの配置位置を示すＣＳＩ-ＲＳロケーションインデックスを受信すると共に、前記ＣＳＩ-ＲＳロケーションインデックスの番号体系を用いて、隣接エリアにおいて前記ＣＳＩ-ＲＳが配置されるＣＳＩ-ＲＳ用リソースに設定されたブランクリソースの位置情報を受信する受信部と、
前記ＣＳＩ-ＲＳロケーションインデックス及び前記ブランクリソースの位置情報に基づいて下りリンクチャネル推定を行う測定部とを備えたことを特徴とする移動端末装置。
【請求項６】
前記受信部は、ブランクリソースの位置情報として、ブランクリソースの位置を前記ＣＳＩ-ＲＳ用リソースに対応させてビットマップ形式で設定したビットマップ情報を前記基地局装置から受信することを特徴とする請求項５に記載の移動端末装置。
【請求項７】
前記受信部は、前記インデックス生成部で生成されるＣＳＩ-ＲＳロケーションインデックスを用いてブランクリソースの開始位置と終了位置とを示した位置情報を前記基地局装置から受信することを特徴とする請求項５に記載の移動端末装置。
【請求項８】
前記受信部は、前記インデックス生成部で生成されるＣＳＩ-ＲＳロケーションインデックスの連続するインデックス数を前記ブランクリソースの位置情報として前記基地局装置から受信することを特徴とする請求項５に記載の移動端末装置。
【請求項９】
下りリンクチャネル推定のための参照信号であるＣＳＩ-ＲＳ（Channel  State  Information−Reference  Signal）を、ＣＳＩ-ＲＳ送信用に割り当てられているＣＳＩ-ＲＳ用リソースに配置するステップと、
隣接エリアにおいて前記ＣＳＩ-ＲＳが配置されるリソースをブランクリソースに設定するステップと、
前記ＣＳＩ-ＲＳ用リソースに配置された前記ＣＳＩ-ＲＳの配置位置を示すＣＳＩ-ＲＳロケーションインデックスの番号体系を用いて、前記ブランクリソースの位置情報を前記移動端末装置に送信するステップとを備えたことを特徴とするブランクリソースのシグナリング方法。
【発明の詳細な説明】
【技術分野】
【０００１】
本発明は、ブランクリソースのシグナリング方法及び基地局装置及び移動端末装置に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ-ＣＤＭＡ（Wideband  Code  Division  Multiple  Access）をベースとしたシステムの特徴を最大限に引き出すことが行われている。このＵＭＴＳネットワークについては、更なる高速データレート、低遅延などを目的としてロングタームエボリューション（LTE：Long  Term  Evolution）が検討されている（非特許文献１）。
【０００３】
第３世代のシステムは、概して５ＭＨｚの固定帯域を用いて、下り回線で最大２Ｍｂｐｓ程度の伝送レートを実現できる。一方、ＬＴＥのシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（LTE-A））。したがって、将来的には、これら複数の移動通信システムが並存することが予想され、これらの複数のシステムに対応できる構成（基地局装置や移動端末装置など）が必要となることが考えられる。
【０００４】
ＬＴＥのシステム（ＬＴＥシステム）の下りリンクにおいて、セル共通の参照信号であるＣＲＳ（Common  Reference  Signal）が定められている。このＣＲＳは、送信データの復調に用いられる他、スケジューリングや適応制御のための下りリンクのチャネル品質（CQI：Channel  Quality  Indicator）測定、並びに、セルサーチやハンドオーバのための下りの平均的な伝搬路状態の測定（モビリティ測定）に用いられる。
【０００５】
一方、ＬＴＥアドバンストのシステム（ＬＴＥ−Ａシステム）の下りリンクにおいては、ＣＲＳに加えて、ＣＱＩ測定専用にＣＳＩ-ＲＳ（Channel  State  Information  −  Reference  Signal）が定められる。ＣＳＩ-ＲＳは、多地点協調（CoMP：Coordinated  multiple  point）によるデータチャネル信号の送受信を考慮して、複数セルのＣＱＩ測定に対応するものである。ＣＳＩ-ＲＳは、隣接セルのＣＱＩ測定に用いられる点で、サービングセルのみのＣＱＩ測定に用いられるＣＲＳと相違する。
【先行技術文献】
【非特許文献】
【０００６】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００７】
ところで、ＣＳＩ-ＲＳを用いたＣＱＩ測定においては、隣接セルからの干渉によるＣＱＩ測定精度の改善を目的として、ミューティングが検討されているが、ミューティングリソースの位置情報をどのようにシグナリングすべきかといった課題が発生する。
【０００８】
本発明はかかる点に鑑みてなされたものであり、簡易な構成によりミューティングリソースの位置情報をシグナリングすることができるブランクリソースのシグナリング方法、基地局装置及び移動端末装置を提供することを目的とする。
【課題を解決するための手段】
【０００９】
本発明の基地局装置は、下りリンクチャネル推定のための参照信号であるＣＳＩ-ＲＳ（Channel  State  Information−Reference  Signal）を、ＣＳＩ-ＲＳ送信用に割り当てられているＣＳＩ-ＲＳ用リソースに配置する配置部と、隣接エリアにおいて前記ＣＳＩ-ＲＳが配置されるＣＳＩ-ＲＳ用リソースをブランクリソースに設定するブランクリソース設定部と、前記ＣＳＩ-ＲＳ用リソースに配置される前記ＣＳＩ-ＲＳの配置位置を示すＣＳＩ-ＲＳロケーションインデックスの番号体系を用いて、前記ブランクリソースの位置情報を前記移動端末装置に送信する送信部とを備えたことを特徴とする。
【発明の効果】
【００１０】
本発明によれば、ミューティングによって設定されるブランクリソースの位置情報を、簡易な構成によりシグナリングすることができるブランクリソースのシグナリング方法、基地局装置及び移動端末装置を提供できる。
【図面の簡単な説明】
【００１１】
【図１】ＣＲＳの配置構成の説明図である。
【図２】ＣＳＩ-ＲＳの配置構成の説明図である。
【図３】ＣＳＩ-ＲＳを用いたＣＱＩ測定におけるミューティングの説明図である。
【図４】隣接セルのＣＱＩの測定方法の説明図である。
【図５】ミューティングリソースのシグナリング方法の説明図である。
【図６】ミューティングリソースのシグナリング方法とシグナリングビット数との関係を示す図である。
【図７】ＣＳＩ-ＲＳ用にナンバリングされたロケーションインデックスの一例を示す図である。
【図８】移動通信システムの構成の説明図である。
【図９】基地局装置の全体構成の説明図である。
【図１０】移動端末装置の全体構成の説明図である。
【図１１】基地局装置による移動端末装置にＣＱＩを測定させるための機能ブロックの説明図である。
【図１２】移動端末装置によるＣＱＩを測定するための機能ブロックの説明図である。
【発明を実施するための形態】
【００１２】
まず、本発明に係るミューティングリソースのシグナリング方法について説明する前に、ＬＴＥシステムの下りリンクで定められるＣＲＳ（Common  Reference  Signal）およびＬＴＥ−Ａシステムの下りリンクに適用されることが合意されたＣＳＩ-ＲＳ（Channel  State  Information  −  Reference  Signal）について説明する。
【００１３】
図１は、ＣＲＳの配置構成の説明図である。ＣＲＳは、全てのリソースブロックおよび全てのサブフレームに割り当てられている。
【００１４】
ＣＲＳは、セル共通参照信号として所定の周波数、時間、送信電力、位相で移動端末装置に送信される。これらＣＲＳの周波数や送信電力は、後述するセルＩＤ（エリア識別子）や報知信号により移動端末装置側で認識される。ＣＲＳは、概して、移動端末装置におけるユーザデータの復調、並びに、下りリンクのチャネル測定に用いられる。ＣＲＳを用いたチャネル測定には、スケジューリングや適応制御のための下りリンクのチャネル品質（CQI：Channel  Quality  Indicator）測定、およびセルサーチやハンドオーバのための下りの平均的な伝搬路状態の測定（モビリティ測定）が含まれる。
【００１５】
図１（ａ）に示すように、ＣＲＳは、ＬＴＥで規定される１リソースブロックにおいて、ユーザデータやＤＭ−ＲＳ（Demodulation  −  Reference  Signal）と重ならないように配置されている。１リソースブロックは、周波数方向に連続する１２サブキャリアと、時間軸方向に連続する１４シンボルで構成される。また、図１（ｂ）に示すように、ＣＲＳは、セル毎に周波数方向にシフトされており、隣接するセル間での干渉が抑えられている。図１に示す例では、セルＣ２におけるＣＲＳは、セルＣ１におけるＣＲＳに対して、周波数方向に１サブキャリア分だけシフトしてマッピングされている。
【００１６】
このＣＲＳは、位置、系列および送信電力というパラメータで特定される。これらのパラメータのうち、ＣＲＳの位置は、セルＩＤに関連付けられている。すなわち、セルＩＤにより周波数方向にシフトされるＣＲＳの位置が定められるため、移動端末装置は在圏セルのセルＩＤを認識することでＣＲＳの配置構成を特定する。また、ＣＲＳの系列はセルＩＤに関連付けられ、送信電力は報知信号で通知される。なお、ＣＲＳの位置および系列を特定するためのセルＩＤは、セルサーチにより移動端末装置に認識される。
【００１７】
次に、ＬＴＥ−Ａシステムの下りリンクで検討されているＣＳＩ-ＲＳ構成について説明する。ＣＲＳは全てのリソースブロックおよび全てのサブフレームに割り当てられるが、ＣＳＩ-ＲＳは所定の周期で割り当てられる。またＣＳＩ-ＲＳは、多地点協調によるデータチャネル信号の送受信を考慮して、サービングセルだけでなく隣接セルのＣＱＩ測定を行うことを考慮して設計されている。一方、ＣＳＩ-ＲＳは、ＣＲＳと同様に、位置、系列および送信電力というパラメータで特定される。これらパラメータのうち、ＣＳＩ-ＲＳの位置は、各セルの報知信号を用いてシグナリングできる。移動端末装置は基地局装置から報知信号を受信することでＣＳＩ-ＲＳの位置を特定することができる。しかしながら、ＣＲＳと同様にセルＩＤから一意に特定される方法も排除していない。
【００１８】
図２は、ＣＳＩ-ＲＳの配置構成を説明するための図である。ＣＳＩ-ＲＳは、ＬＴＥで規定される１リソースブロックにおいて、ユーザデータやＤＭ−ＲＳと重ならないように配置される。８ＣＳＩ-ＲＳ（ＣＳＩ-ＲＳポート数＝８）について、図２に示すＣＳＩ-ＲＳ構成が合意されている。ＰＡＰＲを抑制する観点から、ＣＳＩ-ＲＳを送信可能なリソースは、時間軸方向に隣接する２つのリソースエレメントがセットで割り当てられる。時間軸方向に隣接する２リソースエレメントは常にセットで使用されるので、当該２リソースエレメントのセットに対して１つのインデックスが付与されることが望ましい。
【００１９】
図２に示されるＣＳＩ-ＲＳ構成では、ＣＳＩ-ＲＳ用に４０リソースエレメントが確保されている。上記２リソースエレメントのセットに対して１つのインデックスが付与されるので、１リソースブロック全体では０番〜１９番の２０個のインデックスによってＣＳＩ-ＲＳ配置位置が指示される。この場合、４０リソースエレメント（＃０〜＃１９）の中のＣＳＩ-ＲＳポート数（アンテナ数）のリソースエレメントにＣＳＩ-ＲＳが割り当てられる。よって、ＣＳＩ-ＲＳポート数に応じて、１リソースブロックにＣＳＩ-ＲＳの配置パターンが設定される。
【００２０】
ＣＳＩ-ＲＳポート数が８の場合、４０リソースエレメント（＃０〜＃１９）の中の８つのリソースエレメントがＣＳＩ-ＲＳに割り当てられる。例えば、図７（ａ）に示すように、５つのパターン（インデックス０〜４）のいずれかを選択することが可能である。１パターンを構成するリソースエレメントには同一インデックスが付されている。このように、ＣＳＩ-ＲＳを送信するリソースに付されるインデックスをＣＳＩ-ＲＳロケーションインデックスと呼ぶ。
【００２１】
ＣＳＩ-ＲＳポート数が４の場合、４０リソースエレメントの中の４つのリソースエレメントがＣＳＩ-ＲＳに割り当てられる。例えば、図７（ｂ）に示すように、１０パターン（インデックス０〜９）のいずれかを選択することが可能である。ＣＳＩ-ＲＳポート数が２の場合、４０リソースエレメント（＃０〜＃１９）の中の２つのリソースエレメントがＣＳＩ-ＲＳに割り当てられる。例えば、図７（ｃ）に示すように、２０パターン（インデックス０〜１９）のいずれかを選択することが可能である。
【００２２】
ところで、上記したようにＣＳＩ-ＲＳは、多地点協調によるデータチャネル信号の送受信を考慮して、サービングセルだけでなく隣接セルのＣＱＩを測定するようにも設計されている。ＣＳＩ-ＲＳを用いたＣＱＩ測定においては、隣接セルからの干渉により測定精度が劣化する場合がある。例えば、図３（ａ）に示すように、セルＣ１の下りリンクリソースにおいて、隣接セルＣ２、Ｃ３のＣＳＩ-ＲＳリソースに対応するリソースにユーザデータが配置されている。また、セルＣ２の下りリンクリソースにおいて、隣接セルＣ１、Ｃ３のＣＳＩ-ＲＳリソースに対応するリソースにユーザデータが配置されている。さらに、セルＣ３の下りリンクリソースにおいて、隣接セルＣ１、Ｃ３のＣＳＩ-ＲＳリソースに対応するリソースにユーザデータが配置されている。これらユーザデータは、各セルにおけるＣＳＩ-ＲＳの干渉成分を構成し、移動端末装置におけるチャネル品質の推定精度を劣化させる要因となる。
【００２３】
このようなユーザデータの配置に起因するチャネル品質の推定精度の劣化を抑えるため、ミューティングが検討されている。ミューティングにおいては、図３（ｂ）に示すように、隣接セルのＣＳＩ-ＲＳリソースに対応するリソースにユーザデータを配置せずにブランクリソースが設定される。セルＣ１の下りリンクのリソースブロックにおいて、セルＣ２、Ｃ３のＣＳＩ-ＲＳリソースに対応するリソースがブランクリソースに設定される。また、セルＣ２の下りリンクのリソースブロックにおいて、セルＣ１、Ｃ３のＣＳＩ-ＲＳリソースに対応するリソースがブランクリソースに設定される。さらに、セルＣ３の下りリンクのリソースブロックにおいて、セルＣ１、Ｃ２のＣＳＩ-ＲＳリソースに対応するリソースがブランクリソースに設定される。
【００２４】
このような構成により、隣接セルのユーザデータに起因するＣＳＩ-ＲＳの干渉成分を排除して、移動端末装置におけるチャネル品質の推定精度を改善している。しかしながら、ミューティングを行う場合には、隣接セルのために自セルのデータチャネルを無送信とすることから、移動端末装置において、どのリソースを無送信としたかを通知する必要がある。
【００２５】
そこで、本発明者らは、ブランクリソースの位置情報を効率よくシグナリングする方法について考察した結果、ＣＳＩロケーションインデックスの番号体系を用いることにより、容易にブランクリソースの位置情報をシグナリングできることを見出し、本発明に至った。
【００２６】
まず、本発明に係るブランクリソースの位置情報のシグナリング方法の説明の前に、ＣＳＩ-ＲＳを用いたＣＱＩ測定について説明する。ＣＳＩ-ＲＳを用いたＣＱＩ測定は、ＣＲＳを用いたＣＱＩ測定と異なり、サービングセルだけでなく隣接セルに対しても行われる。このように、複数のセルのチャネル品質を測定するのは、多地点協調によるユーザデータの送受信を考慮するためである。
【００２７】
移動端末装置は、測定したＣＱＩをサービングセルの基地局装置および隣接セルの基地局装置にフィードバックする。基地局装置にフィードバックされたＣＱＩは、移動端末装置にユーザデータを送信する際のパラメータ（例えば、ＭＣＳ：Modulation  and  Coding  Scheme）の判断に用いられる。この場合、セル間でＣＳＩ-ＲＳのパラメータが交信され、隣接セルのＣＳＩ-ＲＳの位置および送信電力等のパラメータがサービングセルから移動端末装置に送信される。ここで、図４を参照して、隣接セルのＣＱＩ測定について説明する。図４は、本発明の実施の形態に係る隣接セルのＣＱＩの測定方法の説明図である。
【００２８】
図４に示すように、サービングセルに設置された基地局装置２０Ａは、隣接セルに設置された基地局装置２０Ｂ、２０ＣとＣＳＩ-ＲＳパラメータを送受信可能に接続されている。基地局装置２０Ａ、２０Ｂ、２０Ｃの接続形態は、特に限定されるものではなく、有線接続又は無線接続のいずれであってもよい。このシステムにおいて、ＣＳＩ-ＲＳの位置（ロケーションインデックス）、系列、送信電力等のパラメータが、隣接セルの基地局装置２０Ｂ、２０Ｃからサービングセルの基地局装置２０Ａに送信される。基地局装置２０Ａは、基地局装置２０Ｂ、２０Ｃから受信したＣＳＩ-ＲＳのパラメータと自セルのＣＳＩ-ＲＳのパラメータとを含む報知信号を生成し、移動端末装置１０に送信する。
【００２９】
サービングセルにおけるＣＳＩ-ＲＳのパラメータとしては、ＣＳＩ-ＲＳの位置、系列、送信電力が含まれる。また、隣接セルにおけるＣＳＩ-ＲＳのパラメータとしては、隣接セルＩＤ、ＣＳＩ-ＲＳの位置、系列、送信電力が含まれる。移動端末装置１０は、サービングセルからの報知信号により、隣接セルのＣＳＩ-ＲＳの位置、系列、送信電力を特定できるので、隣接セルのＣＱＩ測定できる。
【００３０】
また、ＣＳＩ-ＲＳを用いたＣＱＩ測定においては、上記したように、隣接セルからの干渉によるＣＱＩ測定精度の改善を目的として、ミューティングが有効である。ミューティングでは、隣接セルにおいてＣＳＩ-ＲＳが配置されるリソースがブランクリソース（ヌル）に設定されることで行われる。
【００３１】
移動端末装置では、基地局装置から通知されたブランクリソースの位置情報に基づいてミューティングの有無を認識し、その位置のデータは無送信であることを認識して、データの割り当てられているリソースエレメント数を認識する。
【００３２】
ブランクリソースの位置情報は、基地局装置から報知チャネルにより移動端末装置に通知される。基地局装置は、ＣＳＩ-ＲＳ用リソースにナンバリングされるＣＳＩ-ＲＳロケーションインデックスの番号体系を利用してブランクリソースの位置情報を移動端末装置に通知する。
【００３３】
次に、図５（ａ）（ｂ）（ｃ）を参照して、３種類のミューティングの通知方法について説明する。なお、ここでは、ＣＳＩ-ＲＳポート数（アンテナ数）が８の場合を例示して説明するが、この構成に限定されるものではない。本発明は、例えば、ＣＳＩ-ＲＳポート数（アンテナ数）が４及び２の場合にも適用可能である。また、図５においては、２×２のリソースエレメント（以下、ＲＥＢ：リソースエレメントブロックという）を１単位として、ブランクリソースが設定される。
【００３４】
図５（ａ）は、ビットマップベースのミューティングリソース通知方法の説明図である。同図に示すビットマップベースのミューティングリソース通知方法は、ＣＳＩ-ＲＳ用リソースにナンバリングされるＣＳＩ-ＲＳロケーションインデックス（図２参照）とミューティングの有無とを１対１で対応付けたビットマップ形式のミューティング位置をシグナリングする。
【００３５】
図５（ａ）に示す具体例では、８ＣＳＩ-ＲＳの場合に、ＣＳＩ-ＲＳロケーションインデックス“０”“２”“３”のリソースでＣＳＩ-ＲＳが送信され、ＣＳＩ-ＲＳロケーションインデックス“１”“４”のリソースがミューティングされるケースが示されている。この場合は、ＣＳＩ-ＲＳロケーションインデックス[０，１，２，３，４]に対応させて、ビットマップ情報として[０，１，０，０，１]をシグナリングする。ビットマップ情報では、ミューティング位置に“１”をセットし、ミューティングしない位置に“０”をセットしている。
【００３６】
また、この方法では、ミューティング位置をシグナリングするために、ＣＳＩ-ＲＳロケーションインデックスの総数ｎに対応してｎビット必要である。例えば、８ＣＳＩ-ＲＳの場合には、ＣＳＩ-ＲＳロケーションインデックス数が５であるため、シグナリングビットが５ビット必要である。このようなビットマップベースのミューティングリソース通知方法は、あらゆるパターンのミューティングに対応可能で高い柔軟性を実現することができる。なお、ビットマップ情報は、ミューティング位置に“０”をセットし、ミューティングしない位置に“１”をセットしてもよい。
【００３７】
図５（ｂ）は、ツリーベースのミューティングリソース通知方法の説明図である。同図に示すツリーベースのミューティングリソース通知方法は、ＣＳＩ-ＲＳ用リソースにナンバリングされるＣＳＩ-ＲＳロケーションインデックスを用いてミューティング開始リソースとミューティング終了リソースをシグナリングする。
【００３８】
図５（ｂ）に示す具体例では、８ＣＳＩ-ＲＳの場合に、ＣＳＩ-ＲＳロケーションインデックス“０”“３”“４”のリソースでＣＳＩ-ＲＳが送信され、ＣＳＩ-ＲＳロケーションインデックス“１”“２”のリソースがミューティングされるケースが示されている。この場合は、ミューティング開始リソースがＣＳＩ-ＲＳロケーションインデックス“１”で、ミューティング終了リソースがＣＳＩ-ＲＳロケーションインデックス“２”で示される。
【００３９】
また、この方法では、ミューティング位置をシグナリングするために必要なビット数Ｘは、以下の式で求められる。
【数１】
2012044323.tif 000003
例えば、８ＣＳＩ-ＲＳの場合には、ＣＳＩ-ＲＳロケーションインデックスの総数ｎが５であるため、シグナリングビットが４ビット必要である。このようなツリーベースのミューティングリソース通知方法は、ミューティング開始リソースとミューティング終了リソースをシグナリングすればよいため、連続するミューティングするリソースの連続数が大きくなるほど、シグナリングビット数を削減できる効果が大きくなる。
【００４０】
図５（ｃ）は、ナンバーベースのミューティングリソース通知方法の説明図である。同図に示すナンバーベースのミューティングリソース通知方法は、連続するミューティングＲＥＢ数（ミューティング終了リソース）をシグナリングする。ミューティング開始位置はＣＳＩ-ＲＳロケーションインデックス“０”に固定している。ただし、ミューティング開始位置は、固定または半固定であれば最若番“０”に限定されないで、“１”から開始してもよい。
【００４１】
図５（ｃ）に示す具体例では、８ＣＳＩ-ＲＳの場合に、ＣＳＩ-ＲＳロケーションインデックス“２”“３”“４”のリソースでＣＳＩ-ＲＳが送信され、ＣＳＩ-ＲＳロケーションインデックス“０”“１”のリソースがミューティングされるケースが示されている。この場合は、インデックス“０”から“１”までの連続する２ＲＥＢがミューティング対象であるので、ミューティングＲＥＢ数（ミューティング終了リソース）＝２となる。
【００４２】
また、この方法では、ミューティング位置をシグナリングするために必要なビット数Ｘは、以下の式で求められる。
【数２】
2012044323.tif 000004
例えば、８ＣＳＩ-ＲＳの場合には、ＣＳＩ-ＲＳロケーションインデックスの総数ｎが５であるため、シグナリングビットが３ビット必要である。このようなナンバーベースのミューティングリソース通知方法は、連続するミューティングＲＥＢ数をシグナリングするだけであるので、シグナリングビット数を、さらに削減することができる。
【００４３】
図６は、上記３つのミューティングリソース通知方法に対応した、シグナリングビット数、レートマッチングパターン数、ＲＥマッピングパターン数を示すテーブルである。２ＣＳＩ-ＲＳ、４ＣＳＩ-ＲＳ、８ＣＳＩ-ＲＳのそれぞれについてシグナリングビット数、パターン数等の各項目が試算されている。ビットマップベースのミューティングリソース通知方法は、シグナリングビット数が最も大きいが、ＲＥマッピングパターン数が最も大きいので柔軟性に優れることが判る。一方、ナンバーベースのミューティングリソース通知方法は、ＲＥマッピングパターン数が最も小さいが、シグナリングビット数が最も小さいのでオーバーヘッドを低減できる。
【００４４】
また、ツリーベースのミューティングリソース通知方法（図５（ｂ））及びナンバーベースのミューティングリソース通知方法（図５（ｃ））は、図７に示すようにナンバリングされたＣＳＩ-ＲＳロケーションインデックスとの親和性が高い。たとえば、図７に示す４ＣＳＩ-ＲＳの場合、ＣＳＩ-ＲＳロケーションインデックスが若番順に整列している。また、図７に示す２ＣＳＩ-ＲＳの場合、偶数番号と奇数番号とで分かれているが、ＣＳＩ-ＲＳロケーションインデックスが若番順に整列している。ツリーベース（ナンバーベースを含む）のミューティングリソース通知方法のように、連続番号でＣＳＩ-ＲＳロケーションインデックスを指定する方法と組み合わせることで、若番から順番にミューティングリソースを指定することができる。
【００４５】
このように、ブランクリソースの位置情報が、ＣＳＩ-ＲＳアロケーションインデックスの番号体系を用いて、図５（ａ）〜（ｃ）のいずれかのシグナリング方法で移動端末装置に通知される。移動端末装置では、ブランクリソースの位置情報が通知されることで、ブランクリソースを無視してユーザデータを復調できる。
【００４６】
ここで、本発明の実施例に係る無線通信システムについて詳細に説明する。図８は、本実施例に係る無線通信システムのシステム構成の説明図である。なお、図８に示す無線通信システムは、例えば、ＬＴＥシステム或いは、ＳＵＰＥＲ  ３Ｇが包含されるシステムである。この無線通信システムでは、ＬＴＥシステムのシステム帯域を一単位とする複数の基本周波数ブロックを一体としたキャリアアグリゲーションが用いられている。また、この無線通信システムは、ＩＭＴ−Ａｄｖａｎｃｅｄと呼ばれても良いし、４Ｇと呼ばれても良い。
【００４７】
図８に示すように、無線通信システム１は、基地局装置２０Ａ、２０Ｂ、２０Ｃと、この基地局装置２０Ａ、２０Ｂ、２０Ｃと通信する複数の移動端末装置１０（１０１、１０２、１０３、・・・１０ｎ、ｎはｎ＞０の整数）とを含んで構成されている。基地局装置２０Ａ、２０Ｂ、２０Ｃは、上位局装置３０と接続され、この上位局装置３０は、コアネットワーク４０と接続される。移動端末装置１０は、セルＣ１、Ｃ２、Ｃ３において基地局装置２０Ａ、２０Ｂ、２０Ｃと通信を行うことができる。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【００４８】
各移動端末装置（１０１、１０２、１０３、・・・１０ｎ）は、ＬＴＥ端末及びＬＴＥ−Ａ端末を含むが、以下においては、特段の断りがない限り移動端末装置１０として説明を進める。また、説明の便宜上、基地局装置２０Ａ、２０Ｂ、２０Ｃと無線通信するのは移動端末装置１０であるものとして説明するが、より一般的には移動端末装置も固定端末装置も含むユーザ装置（UE：User  Equipment）でよい。
【００４９】
無線通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用されるが、上りリンクの無線アクセス方式はこれに限定されない。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００５０】
ここで、ＬＴＥシステムにおける通信チャネルについて説明する。
下りリンクの通信チャネルは、各移動端末装置１０で共有される下りデータチャネルとしてのＰＤＳＣＨ（Physical  Downlink  Control  Channel）と、下りＬ１／Ｌ２制御チャネル（PDCCH、PCFICH、PHICH）とを有する。ＰＤＳＣＨにより、送信データ及び上位制御情報が伝送される。ＰＤＣＣＨにより、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨにより、ＰＵＳＣＨに対するＨＡＲＱのＡＣＫ/ＮＡＣＫが伝送される。
【００５１】
上りリンクの通信チャネルは、各移動端末装置で共有される上りデータチャネルとしてのＰＵＳＣＨと、上りリンクの制御チャネルであるＰＵＣＣＨ（Physical  Uplink  Control  Channel）とを有する。このＰＵＳＣＨにより、送信データや上位制御情報が伝送される。また、ＰＵＣＣＨにより、下りリンクの無線品質情報（CQI：Channel  Quality  Indicator）、ＡＣＫ/ＮＡＣＫ等が伝送される。
【００５２】
図９を参照しながら、本実施の形態に係る基地局装置の全体構成について説明する。なお、基地局装置２０Ａ、２０Ｂ、２０Ｃは、同様な構成であるため、基地局装置２０として説明する。基地局装置２０は、送受信アンテナ２０１と、アンプ部２０２と、送受信部（送信部）２０３と、ベースバンド信号処理部２０４と、呼処理部２０５と、伝送路インターフェース２０６とを備えている。下りリンクにより基地局装置２０から移動端末装置１０に送信される送信データは、上位局装置３０から伝送路インターフェース２０６を介してベースバンド信号処理部２０４に入力される。
【００５３】
ベースバンド信号処理部２０４において、下りデータチャネルの信号は、ＰＤＣＰレイヤの処理、送信データの分割・結合、ＲＬＣ（radio  link  control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（IFFT：Inverse  Fast  Fourier  Transform）処理、プリコーディング処理が行われる。また、下りリンク制御チャネルである物理下りリンク制御チャネルの信号に関しても、チャネル符号化や逆高速フーリエ変換等の送信処理が行われる。
【００５４】
また、ベースバンド信号処理部２０４は、報知チャネルにより、同一セルに接続する移動端末装置１０に対して、各移動端末装置１０が基地局装置２０との無線通信するための制御情報を通知する。当該セルにおける通信のための報知情報には、例えば、上りリンク又は下りリンクにおけるシステム帯域幅や、ＰＲＡＣＨ（Physical  Random  Access  Channel）におけるランダムアクセスプリアンブルの信号を生成するためのルート系列の識別情報（Root  Sequence  Index）等が含まれる。
【００５５】
送受信部２０３は、ベースバンド信号処理部２０４から出力されたベースバンド信号を無線周波数帯に周波数変換する。アンプ部２０２は周波数変換された送信信号を増幅して送受信アンテナ２０１へ出力する。
【００５６】
一方、上りリンクにより移動端末装置１０から基地局装置２０に送信される信号については、送受信アンテナ２０１で受信された無線周波数信号がアンプ部２０２で増幅され、送受信部２０３で周波数変換されてベースバンド信号に変換され、ベースバンド信号処理部２０４に入力される。
【００５７】
ベースバンド信号処理部２０４は、上りリンクで受信したベースバンド信号に含まれる送信データに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置３０に転送される。
【００５８】
呼処理部２０５は、通信チャネルの設定や解放等の呼処理や、基地局装置２０の状態管理や、無線リソースの管理を行う。
【００５９】
次に、図１０を参照しながら、本実施の形態に係る移動端末装置１０の全体構成について説明する。ＬＴＥ端末もＬＴＥ-Ａ端末もハードウエアの主要部構成は同じであるので、区別せずに説明する。移動端末装置１０は、送受信アンテナ１０１と、アンプ部１０２と、送受信部（受信部）１０３と、ベースバンド信号処理部１０４と、アプリケーション部１０５とを備えている。
【００６０】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクの送信データは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。
【００６１】
一方、上りリンクの送信データは、アプリケーション部１０５からベースバンド信号処理部１０４に入力される。ベースバンド信号処理部１０４においては、マッピング処理、再送制御（ＨＡＲＱ）の送信処理や、チャネル符号化、ＤＦＴ処理、ＩＦＦＴ処理を行う。送受信部１０３は、ベースバンド信号処理部１０４から出力されたベースバンド信号を無線周波数帯に変換する。その後、アンプ部１０２で増幅されて送受信アンテナ１０１より送信される。
【００６２】
図１１を参照して、基地局装置による移動端末装置にＣＱＩを測定させるための機能ブロックについて説明する。図１１は、基地局装置による移動端末装置にＣＱＩを測定させるための機能ブロックの説明図である。なお、図１１の各機能ブロックは、主にベースバンド処理部の処理内容である。また、図１１に示す機能ブロックは、本発明を説明するために簡略化したものであり、ベースバンド処理部において通常備える構成は備えるものとする。また、以下の説明では、ブランクリソースを特定するためのＣＳＩ-ＲＳアロケーションインデックスを、ブランクリソースインデックスとして説明する。
【００６３】
図１１に示すように、基地局装置２０は、ＣＳＩ-ＲＳ配置部（配置部）２１１と、ＣＳＩ-ＲＳロケーションインデックスを生成するＣＳＩ-ＲＳロケーションインデックス生成部２１２と、ブランクリソースを設定するブランクリソース設定部２１３と、ブランクリソースインデックスを、図５（ａ）（ｂ）（ｃ）に示すシグナリング方法でシグナリングするブランクリソースインデックス生成部２１４と、ＣＳＩ-ＲＳロケーションインデックス以外のＣＳＩ-ＲＳパラメータ（サブフレームオフセット、送信電力等）を生成するＣＳＩ-ＲＳパラメータ生成部２１５と、報知信号生成部２１６と、送受信部２０３とを有している。
【００６４】
ＣＳＩ-ＲＳ配置部２１１は、リソースブロックにおける報知用リソースに、ＣＳＩ-ＲＳポート数に応じてＣＳＩ-ＲＳを配置する。ＣＳＩ-ＲＳロケーションインデックス生成部２１２は、ＣＳＩ-ＲＳ配置部２１１がＣＳＩ-ＲＳを配置したリソースに対応したインデックスを生成する。ＣＳＩ-ＲＳロケーションインデックス生成部２１２で生成されたＣＳＩ-ＲＳロケーションインデックスは、ＣＳＩ-ＲＳパラメータの一つとして報知信号生成部２１６に入力される。
【００６５】
ブランクリソース設定部２１３は、ミューティング時に、隣接セルにおいてＣＳＩ-ＲＳが配置されるＣＳＩ-ＲＳリソースに対応するリソースをブランクリソースに設定する。なお、本実施の形態では、ブランクリソースは、全くリソースが割り当てられないリソースとしてもよいし、隣接セルのＣＳＩ-ＲＳに干渉を与えない程度にデータが割り当てるリソースとして規定されてもよい。さらに、ブランクリソースは、隣接セルのＣＳＩ-ＲＳに対して干渉を与えない程度の送信電力で送信されるリソースとして規定されてもよい。
【００６６】
ブランクリソースインデックス生成部２１４は、図５（ａ）（ｂ）（ｃ）のいずれかの方法でブランクリソースインデックスを特定可能なブランクリソースインデックスを生成する。このブランクリソースインデックスが移動端末装置１０に通知されると、移動端末装置１０側でＣＳＩ-ＲＳの配置リソース以外のリソースがブランクリソースとして認識される。
【００６７】
ブランクリソースインデックス生成部２１４に生成されたブランクリソースインデックスは、報知信号生成部２１６に入力される。
【００６８】
ＣＳＩ-ＲＳパラメータ生成部２１５は、ＣＳＩ-ＲＳの位置以外のＣＳＩ-ＲＳの系列や送信電力等のパラメータを生成する。
【００６９】
報知信号生成部２１６は、ＣＳＩ-ＲＳロケーションインデックス、ブランクリソースインデックス情報、その他のＣＳＩ-ＲＳパラメータを含めて報知信号を生成する。この場合、報知信号生成部２１６は、自セルにおけるＣＳＩ-ＲＳパラメータのみならず、送受信部２０３を介して受信した隣接セルのＣＳＩ-ＲＳパラメータを含めて報知信号を生成する。送受信部２０３は、ＣＳＩ-ＲＳおよび報知信号を移動端末装置１０に送信する。
【００７０】
図１２を参照して、移動端末装置によるＣＱＩを測定するための機能ブロックについて説明する。図１２は、移動端末装置によるＣＱＩを測定するための機能ブロックの説明図である。なお、図１２の各機能ブロックは、主にベースバンド処理部の処理内容である。また、図１２に示す機能ブロックは、本発明を説明するために簡略化したものであり、ベースバンド処理部において通常備える構成は備えるものとする。
【００７１】
図１２に示すように、移動端末装置１０は、送受信部１０３と、取得部１１１と、測定部１１２とを有している。送受信部１０３は、基地局装置２０からＣＳＩ-ＲＳおよび報知信号を受信する。取得部１１１は、報知信号を復調して、信号の中身を解析することでＣＳＩ-ＲＳロケーションインデックス、ブランクリソースインデックス、送信電力等のＣＳＩ-ＲＳパラメータを取得する。
【００７２】
測定部１１２は、サービングセルおよび隣接セルのＣＳＩ-ＲＳパラメータに基づいてＣＱＩを測定する。測定部１１２においては、ＣＳＩ-ＲＳの位置情報、系列、送信電力等のパラメータからサービングセルおよび隣接セルのＣＱＩが測定される。
【００７３】
また、測定部１１２では、ミューティングされたリソースの干渉成分を考慮してＣＱＩが測定される。この場合、測定部１１２は、ブランクリソースインデックスで示されるリソースは、他の全てのセルにおいて、ＣＳＩ-ＲＳの配置リソース以外がブランクリソースに設定されると認識する。このため、測定部１１２は、他セルにおいて、サービングセルのＣＳＩ-ＲＳの配置リソースに対応するリソースにブランクリソースが設定されるとして、ブランクリソースの干渉成分を考慮してＣＱＩを測定する。
【００７４】
以上のように、本実施の形態に係る基地局装置２０によれば、ＣＳＩ-ＲＳの配置位置を示すＣＳＩ-ＲＳロケーションインデックスの番号体系を用いて、ブランクリソースインデックスが移動端末装置に通知される。したがって、ミューティングによって設定されるブランクリソースインデックスを、簡易な構成によりシグナリングすることが可能となる。
【００７５】
また、上記した本実施の形態においては、報知用リソースにＣＳＩ-ＲＳが配置される場合に、基地局装置が報知信号により複数の移動端末装置に対して一斉にＣＳＩ-ＲＳの位置情報を通知する構成としたが、この構成に限定されるものではない。基地局装置は、報知信号によりＣＳＩ-ＲＳを移動端末装置に通知する構成に代えて、移動端末装置に対して個別にＣＳＩ-ＲＳを通知する構成としてもよい。したがって、報知用リソースは、報知用信号により一斉に移動端末装置にＣＳＩ-ＲＳの位置情報を通知する構成に限定されず、各移動端末装置に個別にＣＳＩ-ＲＳの位置情報を通知する際にも使用される。
【００７６】
また、上記した実施の形態においては、移動端末装置において、取得部が報知信号からブランクリソースの位置情報を取得する構成としたが、この構成に限定されるものではない。ブランクリソースの位置情報は、取得部以外の機能ブロック、例えば、測定部により取得される構成としてもよい。
【００７７】
また、上記した実施の形態においては、図５（ａ）（ｂ）（ｃ）のいずれかの方法でブランクリソースの位置情報をシグナリングする構成としたが、この構成に限定されるものではない。ブランクリソースの位置情報は、ＣＳＩ-ＲＳロケーションインデックスの番号体系を用いてシグナリングされれば、どのような方法でシグナリングされてもよい。
【００７８】
本発明は上記実施の形態に限定されず、様々変更して実施することが可能である。例えば、本発明の範囲を逸脱しない限りにおいて、上記説明におけるブランクリソースの設定位置、処理部の数、処理手順、ブランクリソースの数については適宜変更して実施することが可能である。その他、本発明の範囲を逸脱しないで適宜変更して実施することが可能である。
【符号の説明】
【００７９】
１  無線通信システム
１０  移動端末装置
２０  基地局装置
１０１  送受信アンテナ
１０２  アンプ部
１０３  送受信部（受信部）
１０４  ベースバンド信号処理部
１０５  アプリケーション部
１１１  取得部
１１２  測定部
２０１  送受信アンテナ
２０２  アンプ部
２０３  送受信部（送信部）
２０４  ベースバンド信号処理部
２０５  呼処理部
２０６  伝送路インターフェース
２１１  ＣＳＩ-ＲＳ配置部（配置部）
２１２  ＣＳＩ-ＲＳロケーションインデックス生成部
２１３  ブランクリソース設定部
２１４  ブランクリソースインデックス生成部
２１５  ＣＳＩ-ＲＳパラメータ生成部
２１６  報知信号生成部
【図１】
2012044323.tif 000005
【図２】
2012044323.tif 000006
【図３】
2012044323.tif 000007
【図４】
2012044323.tif 000008
【図５】
2012044323.tif 000009
【図６】
2012044323.tif 000010
【図７】
2012044323.tif 000011
【図８】
2012044323.tif 000012
【図９】
2012044323.tif 000013
【図１０】
2012044323.tif 000014
【図１１】
2012044323.tif 000015
【図１２】
2012044323.tif 000016
【手続補正書】
【提出日】平成23年8月11日(2011.8.11)
【手続補正１】
【補正対象書類名】特許請求の範囲
【補正対象項目名】全文
【補正方法】変更
【補正の内容】
【特許請求の範囲】
【請求項１】
下りリンクチャネル推定のための参照信号であるＣＳＩ−ＲＳ（Channel  State  Information−Reference  Signal）のブランクリソースを設定する設定部と、
前記ブランクリソースの位置を示すビットマップを移動端末装置に送信する送信部と、を備えたことを特徴とする基地局装置。
【請求項２】
下りリンクチャネル推定のための参照信号であるＣＳＩ−ＲＳのブランクリソースの位置を示すビットマップを受信する受信部と、
前記ビットマップに基づいて下りリンクチャネル推定を行う測定部と、を備えたことを特徴とする移動端末装置。
【請求項３】
下りリンクチャネル推定のための参照信号であるＣＳＩ−ＲＳ（Channel  State  Information−Reference  Signal）のブランクリソースを設定するステップと、
前記ブランクリソースの位置を示すビットマップを移動端末装置に送信するステップと、を備えたことを特徴とするシグナリング方法。
【請求項４】
下りリンクチャネル推定のための参照信号であるＣＳＩ−ＲＳ（Channel  State  Information−Reference  Signal）のブランクリソースを設定する設定部、及び前記ブランクリソースの位置を示すビットマップを移動端末装置に送信する送信部を備えた基地局装置と、
前記ビットマップを受信する受信部、及び前記ビットマップに基づいて下りリンクチャネル推定を行う測定部を備えた移動端末装置と、を具備することを特徴とする無線通信システム。
【手続補正３】
【補正対象書類名】明細書
【補正対象項目名】０００８
【補正方法】変更
【補正の内容】
【０００８】
本発明はかかる点に鑑みてなされたものであり、簡易な構成によりミューティングリソースの位置情報をシグナリングすることができるシグナリング方法、基地局装置及び移動端末装置を提供することを目的とする。
【手続補正４】
【補正対象書類名】明細書
【補正対象項目名】０００９
【補正方法】変更
【補正の内容】
【０００９】
本発明の基地局装置は、下りリンクチャネル推定のための参照信号であるＣＳＩ−ＲＳ（Channel  State  Information−Reference  Signal）のブランクリソースを設定する設定部と、前記ブランクリソースの位置を示すビットマップを移動端末装置に送信する送信部と、を備えたことを特徴とする。
【手続補正５】
【補正対象書類名】明細書
【補正対象項目名】００１０
【補正方法】変更
【補正の内容】
【００１０】
本発明によれば、ミューティングによって設定されるブランクリソースの位置情報を、簡易な構成によりシグナリングすることができるシグナリング方法、基地局装置及び移動端末装置を提供できる。